(57)【要約】      （修正有）【課題】ウェアラブルデバイスを用いたスマートフォンのロック解除及びスマートフォンの使用中における保安を維持できる方法を提供する。【解決手段】スマートフォンの保安アプリケーションがＯＳから機器権限を受けるステップｓ１００、保安アプリケーションのサービス開始を要請するステップｓ２００、スマートフォンに登録されたウェアラブルデバイスを確認するステップｓ３００、スマートフォンがウェアラブルデバイスに連結確認値を要請するステップｓ４００、ウェアラブルデバイスがスマートフォンに連結確認値を伝送するステップｓ５００、スマートフォンにロック画面をディスプレイするステップｓ６００、スマートフォン上でロック解除を入力するステップｓ７００、ロック解除の入力による値をウェアラブルデバイスからスマートフォンが受けるステップｓ８００及びロックを解除するステップｓ９００を含む。【選択図】図２
2016129292.tif 000002
【特許請求の範囲】
【請求項１】
ウェアラブルデバイスを用いたスマートフォンの保安設定及び解除方法において、
ｉ）スマートフォンに設置された保安アプリケーションがスマートフォンのＯＳから機器権限を受けるステップ（ｓ１００）；
ｉｉ）スマートフォンに設置された保安アプリケーションのサービス開始を要請するステップ（ｓ２００）；
ｉｉｉ）スマートフォンに登録されたウェアラブルデバイスを確認するステップ（ｓ３００）；
ｉｖ）スマートフォンが前記ウェアラブルデバイスに連結確認値を要請するステップ（S４００）；
ｖ）ウェアラブルデバイスがスマートフォンに連結確認値を伝送するステップ（ｓ５００）；
ｖｉ）スマートフォンにロック画面をディスプレイするステップ（ｓ６００）；
ｖｉｉ）スマートフォン上でロック解除を入力するステップ（ｓ７００）；
ｖｉｉｉ）前記ロック解除の入力による値を前記ウェアラブルデバイスからスマートフォンが受けるステップ（ｓ８００）；及び
ｘｉ）ロックを解除するステップ（ｓ９００）；
を含むことを特徴とするウェアラブルデバイスを用いたスマートフォンの保安設定及び解除方法。
【請求項２】
前記スマートフォンにロック画面をディスプレイするステップ（ｓ６００）は、近距離無線通信をオフにするステップ（ｓ６１０）を含み、
前記スマートフォンでロック解除を入力するステップ（ｓ７００）は、
スマートフォンのスクリーンタッチイベントを発生させるステップ（ｓ７１０）；及び
前記近距離無線通信をオンにするステップ（ｓ７２０）を含み、
前記ロック解除の入力によるリターン値を前記ウェアラブルデバイスからスマートフォンが受けるステップ（ｓ８００）は、ドラッグイベントを発生させるステップ（ｓ８１０）、及び近距離無線通信で前記ウェアラブルデバイスと前記スマートフォンとを連結するステップ（ｓ８２０）を含むことを特徴とする、請求項１に記載のウェアラブルデバイスを用いたスマートフォンの保安設定及び解除方法。
【請求項３】
前記スマートフォン上でロック解除を入力するステップ（ｓ７００）の代わりに、
ウェアラブルデバイス上でロック解除を入力するステップ（ｓ７００’）を行うことを特徴とする、請求項１に記載のウェアラブルデバイスを用いたスマートフォンの保安設定及び解除方法。
【請求項４】
ロックを解除するステップ（ｓ９００）後に、
スマートフォン使用中にウェアラブルデバイスとの連結を確認するステップ（ｓ１０００）を含み、前記スマートフォン使用中にウェアラブルデバイスとの連結を確認するステップ（ｓ１０００）は、
スマートフォン上でイベントを発生させるステップ（ｓ１１００）；
スマートフォンでウェアラブルデバイスに連結確認値を要請するステップ（ｓ１２００）；
ウェアラブルデバイスから連結確認値をリターンするステップ（ｓ１３００）；及び
前記スマートフォン上のイベントによる命令を行うステップ（ｓ１４００）；
を含み、
前記スマートフォン上のイベントは、アプリケーション実行、システム設定変更イベント、ウィゼット（ｗｉｚｅｔ）実行のうち一つであることを特徴とする、請求項１に記載のウェアラブルデバイスを用いたスマートフォンの保安設定及び解除方法。
【請求項５】
前記スマートフォンに登録されたウェアラブルデバイスを確認するステップ（ｓ３００）において、
登録されたウェアラブルデバイスがない場合、
スマートフォンが近距離無線通信でウェアラブルデバイスを検索するステップ（ｓ３１０）；
スマートフォンが近距離無線通信でウェアラブルデバイスとの連結を要請するステップ（ｓ３２０）；
スマートフォンの既に設定されたＰＩＮ番号をウェアラブルデバイスに伝送するステップ（ｓ３３０）；
ウェアラブルデバイスで前記ＰＩＮ番号を確認するステップ（ｓ３４０）；及び
ウェアラブルデバイスとスマートフォンとを連結するステップ（ｓ３５０）；
の過程を行うことを特徴とする、請求項１に記載のウェアラブルデバイスを用いたスマートフォンの保安設定及び解除方法。
【請求項６】
ウェアラブルデバイスが連結されていないので、前記スマートフォンが前記ウェアラブルデバイスに連結確認値を要請するステップ（ｓ４００）で連結確認値が返還されていない場合、
スマートフォンに既に設定された非常秘密番号入力窓を呼び出すステップ（ｓ４１０）；
非常秘密番号を入力するステップ（ｓ４２０）；及び
入力された非常秘密番号と既に設定された非常秘密番号とを対照するステップ（ｓ４３０）；
の過程を行うことを特徴とする、請求項１に記載のウェアラブルデバイスを用いたスマートフォンの保安設定及び解除方法。
【発明の詳細な説明】
【技術分野】
【０００１】
本発明は、ウェアラブルデバイスを用いたスマートフォンの保安方法に関し、特に、スマートウォッチを用いてスマートフォンのロック解除及びスマートフォンの使用中における保安を維持できる方法に関する。
【背景技術】
【０００２】
スマートフォンの使用開始時のロック解除方法において、ピン（ＰＩＮ）番号またはパターン入力方法などの手段が一般的に使用されている。前記の入力方法は、高い保安水準を提供しないが、相対的に容易に保安解除が可能であるという長所を有する。しかし、前記のピン番号またはパターン入力方法も、スマートフォン画面の大型化趨勢に従い、運転中などのように一手を使用できない場合に入力が不便であるという問題を有していた
【先行技術文献】
【特許文献】
【０００３】
【特許文献１】韓国登録特許第１０―０３８７７０８号（無線移動端末機を用いた保安及び防犯装置制御システム）（２００２年５月６日公開）
【発明の概要】
【発明が解決しようとする課題】
【０００４】
上述したように、スマートフォンのロック解除において、スマートフォン画面の大型化趨勢に従い、ピン番号またはパターン入力方法も、運転中などのように一手を使用できない場合に入力が不便であるという問題を有していたので、本発明は、他の使用者がスマートフォンを使用できないようにする保安水準を維持しながらも、スマートフォンの保安を容易に解除する技術を提供しようとする。
【課題を解決するための手段】
【０００５】
そこで、本発明は、ウェアラブルデバイスを用いたスマートフォンの保安方法において、スマートフォンに設置された保安アプリケーションがスマートフォンのＯＳから機器権限を受けるステップ（ｓ１００）；スマートフォンに設置された保安アプリケーションのサービス開始を要請するステップ（ｓ２００）；スマートフォンに登録されたウェアラブルデバイスを確認するステップ（ｓ３００）；スマートフォンが前記ウェアラブルデバイスに連結確認値を要請するステップ（ｓ４００）；ウェアラブルデバイスがスマートフォンに連結確認値を伝送するステップ（ｓ５００）；スマートフォンにロック画面をディスプレイするステップ（ｓ６００）；スマートフォン上でロック解除を入力するステップ（ｓ７００）；前記ロック解除の入力による値を前記ウェアラブルデバイスからスマートフォンが受けるステップ（ｓ８００）；及びロックを解除するステップ（ｓ９００）を含むウェアラブルデバイスを用いたスマートフォンの保安方法を提供する。
【発明の効果】
【０００６】
本発明は、スマートフォンの使用において、他の使用者がロック画面を解除したり、ロック解除されたスマートフォンを使用できないようにする保安水準を維持しながらも、ウェアラブルデバイスとのペアリングを用いて簡単なスワイプまたはタッチ動作でロック解除または使用許可を提供できる方法を提供する。
【図面の簡単な説明】
【０００７】
【図１】図１は、本発明を説明するための好ましい実施例の説明図である。
【図２】図２は、本発明の保安方法の一実施例のフローチャートである。
【図３】図３は、本発明の保安方法を提供するためのアプリケーションの設定画面の例示図である。
【図４】図４は、本発明のロック画面の一実施例の例示図である。
【図５】図５は、本発明の保安方法の他の実施例のフローチャートである。
【発明を実施するための形態】
【０００８】
本発明は、スマートフォンの使用において、他の使用者がロック画面を解除したり、ロック解除されたスマートフォンを使用できないようにする保安水準を維持しながらも、ウェアラブルデバイスとのペアリングを用いて簡単にロック解除または使用許可を提供するスマートフォンの保安方法を提供し、前記の目的を達成するために、本発明は、スマートフォン及びスマートウォッチに設置されるアプリケーション（ＡＰＰ）に提供される。
【０００９】
図１は、本発明を説明するための好ましい実施例の説明図で、図２は、本発明の保安方法の一実施例のフローチャートである。図１に示したように、本発明は、ウェアラブルデバイスを用いたスマートフォンの保安方法において、スマートフォン２００に設置された保安アプリケーションがスマートフォンのＯＳから機器権限を受けるステップ（ｓ１００）；スマートフォンに設置された保安アプリケーションのサービス開始を要請するステップ（ｓ２００）；スマートフォンに登録されたウェアラブルデバイス１００を確認するステップ（ｓ３００）；スマートフォンが前記ウェアラブルデバイスに連結確認値を要請するステップ（ｓ４００）；ウェアラブルデバイスがスマートフォンに連結確認値を伝送するステップ（ｓ５００）；スマートフォンにロック画面をディスプレイするステップ（ｓ６００）；スマートフォン上でロック解除を入力するステップ（ｓ７００）；前記ロック解除の入力による値を前記ウェアラブルデバイスからスマートフォンが受けるステップ（ｓ８００）；及びロックを解除するステップ（ｓ９００）を含むウェアラブルデバイスを用いたスマートフォンの保安方法を提供する。
【００１０】
前記ウェアラブルデバイス１００は、スマートウォッチ、スマートグラス、スマートバンドなどに制限なく適用することができ、特に、スマートウォッチであることが好ましい。また、ウェアラブルデバイス１００とスマートフォン２００とを連結する無線通信は、ブルートゥースであることが好ましい。
【００１１】
前記スマートフォンに設置された保安アプリケーションがスマートフォンのＯＳから機器権限を受けるステップ（ｓ１００）は、例として、スマートフォンのＯＳに対して初期のロック画面設定のための機器権限を要請して受ける過程を意味する。図３は、本発明の保安方法を提供するための保安アプリケーションの設定画面の例示である。使用者は、図３のように提供される本発明の保安アプリケーションの設定画面で機器権限獲得メニュー２１０をタッチすることによって、簡単にＯＳから機器権限を獲得することができる。
【００１２】
スマートフォンに設置された保安アプリケーションのサービス開始を要請するステップ（ｓ２００）は、本発明のアプリケーションの実行を決定するステップであって、図３の設定画面でサービス開始メニュー２２０をタッチすることによって簡単にサービスを開始することができる。
【００１３】
スマートフォン２００に登録されたウェアラブルデバイス１００を確認するステップ（ｓ３００）において、スマートフォン２００のＯＳは、登録されたウェアラブルデバイス１００を確認するようになる。前記スマートフォンに登録されたウェアラブルデバイスを確認するステップ（ｓ３００）において、登録されたウェアラブルデバイスがない場合、既に設定されたＰＩＮ番号を用いてウェアラブルデバイスを登録させる過程を提供する。
【００１４】
この場合、スマートフォンが近距離無線通信でウェアラブルデバイスを検索するステップ（ｓ３１０）；スマートフォンが近距離無線通信でウェアラブルデバイスとの連結を要請するステップ（ｓ３２０）；スマートフォンの既に設定されたＰＩＮ番号をウェアラブルデバイスに伝送するステップ（ｓ３３０）；ウェアラブルデバイスで前記ＰＩＮ番号を確認するステップ（ｓ３４０）；及びウェアラブルデバイスとスマートフォンとを連結するステップ（ｓ３５０）の過程を行うことが好ましい。
【００１５】
スマートフォンと登録されたウェアラブルデバイスとの近距離無線通信を介した連結状態を確認するために、スマートフォンが前記ウェアラブルデバイスに連結確認値を要請するステップ（ｓ４００）、及びウェアラブルデバイスがスマートフォンに連結確認値を伝送するステップ（ｓ５００）を行うようになる。
【００１６】
ウェアラブルデバイス１００が登録されているが、これを他の場所に置いてきたり、バッテリーの消尽によって連結状態が切れることによって、前記スマートフォンが前記ウェアラブルデバイスに連結確認値を要請するステップ（ｓ４００）で連結確認値が返還されていない場合、スマートフォンに既に設定された非常秘密番号入力窓を呼び出すステップ（ｓ４１０）；非常秘密番号を入力するステップ（ｓ４２０）；入力された非常秘密番号と既に設定された非常秘密番号とを対照するステップ（ｓ４３０）の過程を行うことによって、既に設定された非常秘密番号の入力を通じてスマートフォンの使用が可能になる。
【００１７】
使用者がスマートフォン２００をオンにすると、図４に示したように、スマートフォンにロック画面をディスプレイするステップ（ｓ６００）でロック画面３００をディスプレイするようになる。このとき、ロック画面３００は、既に設定されたイメージ画面をディスプレイすることができ、前記の既に設定されたディスプレイ画面は、使用者が選択可能である。また、前記ディスプレイ画面の一部にウェアラブルデバイス１００が連結されていない状態で非常秘密番号を入力する非常秘密番号タッチメニュー３１０が具現されることが好ましい。
【００１８】
スマートフォン上でロック解除を入力するステップ（ｓ７００）は、ロック画面３００を簡単にスワイプすることが好ましい。このとき、２回〜３回の連続タッチなどの他の方法も適用可能である。
【００１９】
その後、前記ロック解除の入力による値を前記ウェアラブルデバイスからスマートフォンが受けるステップ（ｓ８００）を経てロックを解除するステップ（ｓ９００）を行い、使用者がスマートフォン２００を使用できるようになる。
【００２０】
本発明の他の実施例として、スマートフォンのＯＳにより、ロック画面状態でロック解除の入力による値を前記ウェアラブルデバイスから直接受けることができない場合（例；ＯＳバージョンが低いためＡＰＩが提供されない場合）がある。このような問題を解決するために、本発明は、スマートフォン２００とウェアラブルデバイス１００とを連結する無線通信モジュールをオン／オフにすることによって、ロック解除の入力による値を前記ウェアラブルデバイスから迂回的に受ける方法を提供する。
【００２１】
すなわち、本発明において、前記スマートフォンにロック画面をディスプレイするステップ（ｓ６００）は、近距離無線通信をオフにするステップ（ｓ６１０）を含むようにする。このとき、スマートフォン２００とスマートウォッチなどのウェアラブルデバイス１００との連結状態が切れるようになる。
【００２２】
前記スマートフォンでロック解除を入力するステップ（ｓ７００）は、スマートフォンのスクリーンタッチイベントを発生させるステップ（ｓ７１０；図示せず）、及び前記近距離無線通信をオンにするステップ（ｓ７２０；図示せず）を含むようになる。すなわち、スマートフォン２００のロック画面３００にタッチなどの入力によって近距離無線通信モジュールをオンにすることによって、スマートウォッチ１００とスマートフォン２００とを再び無線通信で連結する準備をするようになる。
【００２３】
ロック解除の入力によるリターン値を前記ウェアラブルデバイスからスマートフォンが受けるステップ（ｓ８００）は、タッチされた指をスワイプするドラッグイベントを発生させるステップ（ｓ８１０；図示せず）、及び近距離無線通信で前記ウェアラブルデバイス１００と前記スマートフォン２００とを連結するステップ（ｓ８２０）を含むようになる。すなわち、前記のドラッグイベントに応答して再びスマートフォン２００とウェアラブルデバイス１００とが無線通信を介して連結され、これによって、スマートフォン２００は、登録されたスマートウォッチ１００から連結値を受けるようになる。前記連結値によってロック解除され、使用者はスマートフォンを使用できるようになる。
【００２４】
更に他の実施例として、スマートフォン２００のロック画面３００にロック解除を入力する代わりに、ウェアラブルデバイス１００の画面に直接ロック解除を入力する方法も適用可能である。この場合も、ロック解除入力の方法は、スワイプまたは連続タッチになり得る。すなわち、前記スマートフォン上でロック解除を入力するステップ（ｓ７００）の代わりに、ウェアラブルデバイス上でロック解除を入力するステップ（ｓ７００’；図示せず）を行うことが可能である。
【００２５】
さらに、本発明は、スマートフォンの使用中にも持続的にウェアラブルデバイス１００とスマートフォン２００との連結を確認することによって、ウェアラブルデバイス１００を着用した使用者を持続的に確認する保安水準を提供する。
【００２６】
このために、本発明は、前記ロックを解除するステップ（ｓ９００）後に、スマートフォン使用中にウェアラブルデバイスとの連結を確認するステップ（ｓ１０００）を含み、図５に示すように、前記スマートフォン使用中にウェアラブルデバイスとの連結を確認するステップ（ｓ１０００）は、スマートフォン上にイベントを発生させるステップ（ｓ１１００）；スマートフォンからウェアラブルデバイスに連結確認値を要請するステップ（ｓ１２００）；ウェアラブルデバイスから連結確認値をリターンするステップ（ｓ１３００）；及び前記スマートフォン上のイベントによる命令を行うステップ（ｓ１４００）を含むことができる。
【００２７】
この場合、前記スマートフォン上のイベントは、アプリケーション実行、システム設定変更イベント、ウィゼット（ｗｉｚｅｔ）実行のうち一つであることが好ましい。
【００２８】
すなわち、前記のような過程を通じて、使用者は、スマートウォッチなどのウェアラブルデバイスとスマートフォンとをペアリングすることによって、他の使用者が容易にスマートフォンを使用できないようにする保安水準を維持しながらも、簡単なスワイピングなどの解除動作でロック解除を行えるようになる。
【符号の説明】
【００２９】
１００    ウェアラブルデバイス
２００    スマートフォン
２１０    機器権限獲得メニュー
２２０    サービス開始メニュー
３００    ロック画面
３１０    非常秘密番号タッチメニュー
【図１】
2016129292.tif 000003
【図２】
2016129292.tif 000004
【図３】
2016129292.tif 000005
【図４】
2016129292.tif 000006
【図５】
2016129292.tif 000007